(57)【要約】【課題】第１連結対象物と第２連結対象物との間の隙間が発生することを抑制することができる連結金具を提供する。【解決手段】連結金具１００は、第１連結対象物２１０と、第２連結対象物３１０とを連結可能である。第２連結対象物３１０には、連結孔３２２ａ、３２２ｂが形成される。連結金具１００は、ベース部１１０と、少なくとも１つの突起部１２０とを備える。少なくとも１つの突起部１２０は、ベース部１１０から突起する。少なくとも１つの突起部１２０は、連結孔３２２ａ、３２２ｂに挿入可能である。少なくとも１つの突起部１２０は、基端部１２２と、先端部１２４と、傾斜部１２６とを有する。基端部１２２は、ベース部１１０に接続する。傾斜部１２６は、先端部１２４と基端部１２２とを接続する。傾斜部１２６は、基端部１２２から先端部１２４に向けて第１連結対象物２１０から離れる方向へ傾斜する。【選択図】図２
2019199883.tif 000002
【特許請求の範囲】
【請求項１】
第１連結対象物と、連結孔が形成された第２連結対象物とを連結可能であり、前記第１連結対象物に固定可能な連結金具であって、
ベース部と、
前記ベース部から突起し、前記連結孔に挿入可能である少なくとも１つの突起部と
を備え、
前記少なくとも１つの突起部は、
前記ベース部に接続する基端部と、
先端部と、
前記先端部と前記基端部とを接続する傾斜部と
を有し、
前記傾斜部は、前記基端部から前記先端部に向けて前記第１連結対象物から離れる方向へ傾斜する、連結金具。
【請求項２】
前記基端部は、前記基端部の延びる方向に沿って並んでいる第１端点部と第２端点部とを有し、
前記第２端点部は、前記第１連結対象物に対して前記第１端点部よりも離れた位置にあり、
前記傾斜部は、前記第１端点部に接続している、請求項１に記載の連結金具。
【請求項３】
前記連結孔は、前記基端部および前記先端部に沿って延びており、
前記先端部の長さは、前記連結孔の長さよりも短く、
前記基端部の長さは、前記連結孔の長さ以上である、請求項１または請求項２に記載の連結金具。
【請求項４】
第１連結対象物と、
連結孔が形成されている第２連結対象物と、
前記第１連結対象物と前記第２連結対象物とを連結可能であり、前記第１連結対象物に固定可能な連結金具と
を備え、
前記連結金具は、
ベース部と、
前記ベース部から突起し、前記連結孔に挿入可能である少なくとも１つの突起部と、
を備え、
前記少なくとも１つの突起部は、
前記ベース部に接続する基端部と、
先端部と
前記先端部と前記基端部とを接続する傾斜部と
を有し、
前記傾斜部は、前記基端部から前記先端部に向けて前記第１連結対象物から離れる方向へ傾斜する、連結構造物。
【請求項５】
請求項４に記載の連結構造物と、
光源を有し、前記第１連結対象物に接続する第１光源ユニットと、
光源を有し、前記第２連結対象物に接続する第２光源ユニットと
を備える、照明装置。
【発明の詳細な説明】
【技術分野】
【０００１】
本発明は、連結金具、連結構造物および照明装置に関する。
【背景技術】
【０００２】
複数の光源ユニットを連結させた照明装置が知られている（例えば、特許文献１）。特許文献１に記載された照明灯は、コネクタによって複数の光源ユニットを連結させている。
【先行技術文献】
【特許文献】
【０００３】
【特許文献１】特開２０１０−３６８３号公報
【発明の概要】
【発明が解決しようとする課題】
【０００４】
しかしながら、特許文献１に記載の照明灯では、光源ユニットと光源ユニットとの間に隙間が生じる可能性があった。光源ユニットと光源ユニッとの間に隙間が生じることによって、光源ユニットと光源ユニットとが曲がって連結される可能性があった。
【０００５】
本発明は上記課題に鑑みてなされたものであり、その目的は第１連結対象物と第２連結対象物との間の隙間が発生することを抑制することができる連結金具、連結構造物および照明装置を提供することにある。
【課題を解決するための手段】
【０００６】
本願に開示する連結金具は、第１連結対象物と、第２連結対象物とを連結可能である。第２連結対象物には、連結孔が形成される。前記連結金具は、前記第１連結対象物に固定可能である。前記連結金具は、ベース部と、少なくとも１つの突起部とを備える。前記少なくとも１つの突起部は、前記ベース部から突起する。前記少なくとも１つの突起部は、前記連結孔に挿入可能である。前記少なくとも１つの突起部は、基端部と、先端部と、傾斜部とを有する。前記基端部は、前記ベース部に接続する。前記傾斜部は、前記先端部と前記基端部とを接続する。前記傾斜部は、前記基端部から前記先端部に向けて前記第１連結対象物から離れる方向へ傾斜する。
【０００７】
本願に開示する連結金具において、前記基端部は、第１端点部と第２端点部とを有することが好ましい。前記第１端点部と前記第２端点部とは、前記基端部の延びる方向に沿って並んでいることが好ましい。前記第２端点部は、前記第１連結対象物に対して前記第１端点部よりも離れた位置にあることが好ましい。前記傾斜部は、前記第１端点部に接続していることが好ましい。
【０００８】
本願に開示する連結金具において、前記連結孔は、前記基端部および前記先端部に沿って延びていることが好ましい。前記先端部の長さは、前記連結孔の長さよりも短いことが好ましい。前記基端部の長さは、前記連結孔の長さ以上であることが好ましい。
【０００９】
本願に開示する連結構造物は、第１連結対象物と、第２連結対象物と、連結金具とを備える。前記第２連結対象物には、連結孔が形成されている。前記連結金具は、前記第１連結対象物と前記第２連結対象物とを連結可能である。前記連結金具は、前記第１連結対象物に固定可能である。前記連結金具は、ベース部と、少なくとも１つの突起部とを備える。前記少なくとも１つの突起部は、前記ベース部から突起する。前記少なくとも１つの突起部は、前記連結孔に挿入可能である。前記少なくとも１つの突起部は、基端部と、先端部と、傾斜部とを有する。前記基端部は、前記ベース部に接続する。前記傾斜部は、前記先端部と前記基端部とを接続する。前記傾斜部は、前記基端部から前記先端部に向けて前記第１連結対象物から離れる方向へ傾斜する。
【００１０】
本願に開示する照明装置は、上記に記載の連結構造物と、第１光源ユニットと、第２光源ユニットとを備える。前記第１光源ユニットは、光源を有する。前記第１光源ユニットは、前記第１連結対象物に接続する。前記第２光源ユニットは、光源を有する。前記第２光源ユニットは、前記第２連結対象物に接続する。
【発明の効果】
【００１１】
本発明に係る連結金具によれば、第１連結対象物と第２連結対象物との間の隙間が発生することを抑制することができる。
【図面の簡単な説明】
【００１２】
【図１】本発明の実施形態に係る照明装置の模式的な斜視図である。
【図２】（ａ）および（ｂ）は、連結金具の斜視図である
【図３】（ａ）は、連結金具の平面図である。（ｂ）は、図３（ａ）のＩＩＩＢ−ＩＩＩＢ線に沿った断面図である。（ｃ）は、図３（ａ）のＩＩＩＣ−ＩＩＩＣ線に沿った断面図である。
【図４】図３（ｂ）の突起部の近傍の拡大図である。
【図５】連結金具による連結方法を示す斜視図である。
【図６】（ａ）および（ｂ）連結金具による連結方法を示す斜視図である。
【図７】（ａ）〜（ｃ）は、連結金具による連結方法を示す断面図である。
【図８】照明装置の断面図である。
【発明を実施するための形態】
【００１３】
以下、本発明の実施形態について、図面を参照しながら説明する。なお、図中、同一または相当部分については同一の参照符号を付して説明を繰り返さない。また、本明細書において、三次元直交座標系のＸ軸およびＹ軸は水平線に平行であり、Ｚ軸は鉛直線に平行である。Ｚ軸の正方向は、重力方向と反対方向であり、上方向を示し、Ｚ軸の負方向は、重力方向であり、下方向を示す。
【００１４】
図１を参照して、本発明の実施形態に係る照明装置５００について説明する。図１は、本発明の実施形態に係る照明装置５００の模式的な斜視図である。
【００１５】
図１に示すように、照明装置５００は、連結構造物４００と、第１光源ユニット２６０と、第２光源ユニット３６０とを備える。
【００１６】
連結構造物４００は、第１連結対象物２１０と、第２連結対象物３１０と、連結金具１００とを備える。第１連結対象物２１０および第２連結対象物３１０は、例えば、ベースユニットである。第１連結対象物２１０および第２連結対象物３１０は、Ｘ軸方向に沿って延びている。第１連結対象物２１０は、−Ｘ側に配置されている。第２連結対象物３１０は、＋Ｘ側に配置されている。第２連結対象物３１０には、連結孔が形成されている。連結孔については、図６（ａ）を参照して後述する。
【００１７】
第１光源ユニット２６０は、第１連結対象物２１０に接続する。本実施形態では、第１光源ユニット２６０は、第１連結対象物２１０に装着される。第１光源ユニット２６０は、第１連結対象物２１０から着脱可能である。なお、第１連結対象物２１０と第１光源ユニット２６０とは一体化された構成（着脱不可）であってもよい。第１光源ユニット２６０は、Ｘ軸方向に沿って延びている。第１光源ユニット２６０は、光源２６２と、第１カバー部材２６４とを有する。光源２６２は、Ｘ軸方向に沿って延びている。光源２６２は、単数または複数の発光素子（以下、本明細書において発光素子２６２ｂと記載する。）を含む。発光素子２６２ｂは、例えば、ＬＥＤ（Ｌｉｇｈｔ  Ｅｍｉｔｔｉｎｇ  Ｄｉｏｄｅ）である。なお、光源２６２は、発光素子２６２ｂに代えて、蛍光灯または白熱電球を含んでもよい。なお、図面の簡略化のため、図１では、発光素子２６２ｂの図示を省略している。
【００１８】
第１カバー部材２６４は、Ｘ軸方向に沿って延びている。第１カバー部材２６４の内部は空洞である。第１カバー部材２６４は光源２６２を覆う。第１カバー部材２６４は、例えば、合成樹脂製である。第１カバー部材２６４は、例えば、光源２６２が出射した光を拡散する。第１カバー部材２６４は、例えば、白色半透明であってもよい。第１カバー部材２６４は、例えば、光拡散材料を含有した樹脂を成形することによって形成してもよいし、透明材料で成形した後に表面に光拡散処理を施して形成してもよい。
【００１９】
第２光源ユニット３６０は、第２連結対象物３１０に接続する。本実施形態では、第２光源ユニット３６０は、第２連結対象物３１０に装着される。第２光源ユニット３６０は、第２連結対象物３１０から着脱可能である。なお、第２連結対象物３１０と第２光源ユニット３６０とは一体化された構成（着脱不可）であってもよい。第２光源ユニット３６０は、光源３６２と、第２カバー部材３６４とを有する。第２光源ユニット３６０は、第１光源ユニット２６０と同様の構成を有するため、説明を省略する。
【００２０】
照明装置５００は、取付位置の取付穴に取り付けられる。例えば、照明装置５００は、天井の取付穴に取り付けられる。詳しくは、天井に設けられた長方形の取付穴に照明装置５００のベースユニット（第１連結対象物２１０および第２連結対象物３１０）を挿入する。そして、ベースユニットの鍔部を天井面に当接させる。そして、カバー部材（第１カバー部材２６４および第２カバー部材３６４）が天井面から突出した状態で、カバー部材がベースユニットに取付られる。すなわち、照明装置５００は、カバー部材が天井面から突出した状態で天井の取付穴に取り付けられる。
【００２１】
連結金具１００は、第１連結対象物２１０と第２連結対象物３１０とを連結可能である。連結金具１００は、第１連結対象物２１０に固定可能である。連結金具１００によって、第１連結対象物２１０と第２連結対象物３１０とは、隙間無く連結されている。
【００２２】
次に、図２（ａ）および図２（ｂ）を参照して、連結金具１００について説明する。図２（ａ）および図２（ｂ）は、連結金具１００の斜視図である。図２（ａ）は、連結金具１００を斜め上方から視た斜視図である。図２（ｂ）は、連結金具１００を斜め下方から視た斜視図である。
【００２３】
図２（ａ）および図２（ｂ）に示すように、連結金具１００は、ベース部１１０と、２つの突起部１２０（突起部１２０ａおよび突起部１２０ｂ）と、一対の壁部（壁部１３０ａおよび壁部１３０ｂ）と、位置決め部１４０ａ、１４０ｂと、固定具孔１５０ａ、１５０ｂと、貫通孔１６０とを備える。連結金具１００は、例えば、金属製（例えば、ステンレス製またはアルミニウム製）である。
【００２４】
ベース部１１０は、略矩形状である。ベース部１１０は、略平板状である。
【００２５】
突起部１２０は、ベース部１１０から−Ｚ方向に突起している。突起部１２０は、Ｙ軸方向から見たときの形状が台形状である。突起部１２０は、第２連結対象物３１０の連結孔に挿入可能である。連結孔については、図６（ａ）を参照して後述する。図２（ｂ）に示すように、突起部１２０は、基端部１２２と、先端部１２４と、傾斜部１２６と、接続部１２８とを有する。基端部１２２と、先端部１２４と、傾斜部１２６と、接続部１２８とについては、図４を参照して後述する。
【００２６】
壁部１３０ａおよび壁部１３０ｂは、ベース部１１０の長端縁（側端縁）から屈曲している。壁部１３０ａおよび壁部１３０ｂは、突起部１２０の突起する方向（−Ｚ方向）に延びている。壁部１３０ａおよび壁部１３０ｂは、略平板状である。突起部１２０ａおよび突起部１２０ｂは、一対の壁部１３０ａ、１３０ｂの間に配置される。
【００２７】
位置決め部１４０ａおよび位置決め部１４０ｂは、ベース部１１０から突起部１２０の突起する方向（−Ｚ方向）に突起している。位置決め部１４０ａおよび位置決め部１４０ｂは、第１連結対象物２１０の挿入孔に挿入可能である。挿入孔については、図５を参照して後述する。
【００２８】
固定具孔１５０ａおよび固定具孔１５０ｂは、Ｚ軸方向に貫通している。固定具孔１５０ａおよび固定具孔１５０ｂは、固定具を挿入可能である。固定具は、例えば、ビスである。固定具は、第１連結対象物２１０に連結金具１００を固定する。固定具孔１５０ａおよび固定具孔１５０ｂは、例えば、バーリング加工がされている。バーリング加工をすることによって、固定具孔１５０ａおよび固定具孔１５０ｂのネジ山の数を増やすことができる。
【００２９】
貫通孔１６０は、Ｚ軸方向に貫通している。
【００３０】
図３（ａ）〜図３（ｃ）および図４を参照して、連結金具１００についてさらに説明する。図３（ａ）は、連結金具１００の平面図である。図３（ｂ）は、図３（ａ）のＩＩＩＢ−ＩＩＩＢ線に沿った断面図である。図３（ｃ）は、図３（ａ）のＩＩＩＣ−ＩＩＩＣ線に沿った断面図である。
【００３１】
図３（ａ）に示すように、突起部１２０ａと突起部１２０ｂとは、Ｙ軸方向に沿って並んでいる。突起部１２０ａは、ベース部１１０の中央よりも＋Ｙ側に配置されている。突起部１２０ｂは、ベース部１１０の中央よりも−Ｙ側に配置されている。
【００３２】
位置決め部１４０ａおよび位置決め部１４０ｂは、Ｙ軸方向に沿って並んでいる。位置決め部１４０ａ、ベース部１１０の中央よりも＋Ｙ側に配置されている。位置決め部１４０ｂは、ベース部１１０の中央よりも−Ｙ側に配置されている。
【００３３】
固定具孔１５０ａおよび固定具孔１５０ｂは、Ｘ軸方向に沿って並んでいる。固定具孔１５０ａは、固定具孔１５０ｂよりもベース部１１０の−Ｘ側の端縁から近い位置に配置されている。
【００３４】
連結金具１００によって、第１連結対象物２１０と、第２連結対象物３１０とを連結した場合、ベース部１１０の下面のうち、ベース部１１０の中央から−Ｘ側のベース部１１０の下面が第１連結対象物２１０と当接する。一方、ベース部１１０の下面のうち、ベース部１１０の中央から＋Ｘ側のベース部１１０の下面が第２連結対象物３１０と当接する。位置決め部１４０ａと、位置決め部１４０ｂと、固定具孔１５０ａと、固定具孔１５０ｂとは、ベース部１１０の中央よりも−Ｘ側に配置されている。したがって、連結金具１００によって、第１連結対象物２１０と第２連結対象物３１０とを連結した場合、位置決め部１４０ａと、位置決め部１４０ｂと、固定具孔１５０ａと、固定具孔１５０ｂとは、第１連結対象物２１０に対応する位置に配置される。一方、突起部１２０ａと、突起部１２０ｂと、貫通孔１６０とは、ベース部１１０の中央よりも＋Ｘ側に配置されている。したがって、連結金具１００によって、第１連結対象物２１０と第２連結対象物３１０とを連結した場合、突起部１２０ａと、突起部１２０ｂと、貫通孔１６０とは、第２連結対象物３１０に対応する位置に配置される。
【００３５】
図３（ｂ）に示すように、突起部１２０は台形状である。
【００３６】
図３（ｃ）に示すように、壁部１３０ａは、ベース部１１０の＋Ｙ側の端縁に配置される。壁部１３０ｂは、ベース部１１０の−Ｙ側の端縁に配置される。突起部１２０ａおよび突起部１２０ｂは、一対の壁部１３０ａ、１３０ｂの間に配置される。
【００３７】
図４を参照して、突起部１２０についてさらに説明する。図４は、図３（ｂ）の突起部１２０の近傍の拡大図である。図４において、長さｄ１は、先端部１２４の長さを示す。図４において、長さｄ２は、基端部１２２の長さを示す。図４において、距離ｄ３は、ベース部１１０から先端部１２４までの距離を示す。距離ｄ４は、ベース部１１０から壁部１３０ａの先端１３１までの距離を示す。傾斜角θは、基端部１２２に対する傾斜部１２６の傾斜角を示す。
【００３８】
図４に示すように、先端部１２４の長さｄ１は、基端部１２２の長さｄ２よりも短い。
【００３９】
図４に示すように、基端部１２２は、ベース部１１０に接続する。基端部１２２は、Ｘ軸方向に沿って延びている。基端部１２２は、第１端点部１２３ａと、第２端点部１２３ｂとを有する。第１端点部１２３ａと第２端点部１２３ｂとは、基端部１２２の延びる方向（Ｘ軸方向）に沿って並んでいる。連結金具１００によって、第１連結対象物２１０と第２連結対象物３１０とを連結した場合、突起部１２０に対して第１連結対象物２１０は、−Ｘ側に位置する。第２端点部１２３ｂは、第１端点部１２３ａよりも＋Ｘ側に位置する。したがって、第２端点部１２３ｂは、第１連結対象物２１０に対して第１端点部１２３ａよりも離れた位置にある。
【００４０】
先端部１２４は、Ｘ軸方向に沿って延びている。
【００４１】
傾斜部１２６は、先端部１２４と基端部１２２とを接続する。傾斜部１２６は、第１端点部１２３ａに接続している。傾斜部１２６は、基端部１２２から先端部１２４に向けて＋Ｘ側へ傾斜している。連結金具１００によって、第１連結対象物２１０と第２連結対象物３１０とを連結した場合、突起部１２０に対して第１連結対象物２１０は、−Ｘ側に位置する。したがって、傾斜部１２６は、基端部１２２から先端部１２４に向けて第１連結対象物２１０から離れる方向へ傾斜している。換言すれば、傾斜部１２６は、先端部１２４から基端部１２２に向けて第１連結対象物２１０に近づく方向へ傾斜している。基端部１２２に対する傾斜部１２６の傾斜角θは、例えば、６０度である。
【００４２】
接続部１２８は、Ｚ軸方向に沿って延びている。接続部１２８は、先端部１２４と基端部１２２とを接続する。
【００４３】
ベース部１１０から先端部１２４までの距離ｄ３は、ベース部１１０から壁部１３０ａの先端１３１までの距離ｄ４よりも短い。
【００４４】
図５、図６（ａ）および図６（ｂ）を参照して、第１連結対象物２１０と第２連結対象物３１０との連結金具１００による連結方法について説明する。図５、図６（ａ）および図６（ｂ）は、連結金具１００による連結方法を示す斜視図である。
【００４５】
図５に示すように、第１連結対象物２１０は、本体部２１２と、鍔部２１４とを有する。鍔部２１４は、本体部２１２の下端からＹ軸方向に延びる。
【００４６】
第１連結対象物２１０は、貫通孔２２２ａと、貫通孔２２２ｂと、貫通孔２３２ａと、貫通孔２３２ｂと、挿入孔２４２ａと、挿入孔２４２ｂとをさらに有する。
【００４７】
貫通孔２２２ａと貫通孔２２２ｂとは、Ｚ軸方向に貫通する。貫通孔２２２ａと貫通孔２２２ｂとは、Ｘ軸方向に沿って延びている。貫通孔２２２ａと貫通孔２２２ｂとは、例えば、長孔である。
【００４８】
貫通孔２３２ａと貫通孔２３２ｂとは、Ｚ軸方向に貫通している。貫通孔２３２ａと貫通孔２３２ｂとは、固定具を挿入可能である。
【００４９】
挿入孔２４２ａと挿入孔２４２ｂとは、Ｚ軸方向に貫通している。挿入孔２４２ａは、位置決め部１４０ａを挿入可能である。挿入孔２４２ｂは、位置決め部１４０ｂを挿入可能である。
【００５０】
図５に示した状態から、図６（ａ）に示すように、連結金具１００は、固定具１７０ａおよび固定具１７０ｂによって、第１連結対象物２１０に固定される。
【００５１】
詳しくは、まず、位置決め部１４０ａを挿入孔２４２ａに挿入する。また、位置決め部１４０ｂを挿入孔２４２ｂに挿入する。したがって、連結金具１００の位置決めを行うことができる。詳しくは、固定具孔１５０ａが貫通孔２３２ａに対応する位置に配置されるように連結金具１００が配置される。また、固定具孔１５０ｂが貫通孔２３２ｂに対応する位置に配置されるように連結金具１００が配置される。
【００５２】
次に、固定具１７０ａを、貫通孔２３２ａと固定具孔１５０ａとに螺合させる。また、固定具１７０ｂを、貫通孔２３２ｂと固定具孔１５０ｂとに螺合させる。固定具１７０ａと固定具１７０ｂとが螺合されることによって、連結金具１００は、図６（ａ）に示すように、第１連結対象物２１０に固定される。
【００５３】
図６（ａ）に示すように、第２連結対象物３１０は、本体部３１２と、鍔部３１４とを有する。鍔部３１４は、本体部３１２の下端からＹ軸方向に延びる。
【００５４】
第２連結対象物３１０は、連結孔３２２ａと、連結孔３２２ｂと、貫通孔３３２ａと、貫通孔３３２ｂと、貫通孔３４２ａと、貫通孔３４２ｂとを有する。
【００５５】
連結孔３２２ａと連結孔３２２ｂとは、Ｚ軸方向に貫通する。連結孔３２２ａと連結孔３２２ｂとは、Ｘ軸方向に沿って延びている。すなわち、連結孔３２２ａと連結孔３２２ｂとは、基端部１２２および先端部１２４（図４参照）に沿って延びている。連結孔３２２ａと連結孔３２２ｂとは、例えば、長孔である。連結孔３２２ａは、突起部１２０ａを挿入可能である。連結孔３２２ｂは、突起部１２０ｂを挿入可能である。
【００５６】
貫通孔３３２ａと貫通孔３３２ｂとは、Ｚ軸方向に貫通している。
【００５７】
貫通孔３４２ａと貫通孔３４２ｂとは、Ｚ軸方向に貫通している。
【００５８】
図６（ａ）に示した状態から、図６（ｂ）に示すように、連結金具１００によって、第１連結対象物２１０と第２連結対象物３１０とは連結される。
【００５９】
詳しくは、突起部１２０ａを連結孔３２２ａに挿入させる。また、突起部１２０ｂを連結孔３２２ｂに挿入させる。したがって、第１連結対象物２１０と第２連結対象物３１０との幅方向（Ｙ軸方向）の位置ずれを抑制することができる。その結果、第１連結対象物２１０と第２連結対象物３１０とが曲がって連結されることを抑制することができる。
【００６０】
また、連結金具１００によって、第１連結対象物２１０と第２連結対象物３１０とは連結された状態では、一対の壁部１３０ａ、１３０ｂが第１連結対象物２１０の側面と第２連結対象物３１０の側面と当接する。したがって、第１連結対象物２１０と第２連結対象物３１０との幅方向（Ｙ軸方向）の位置ずれを抑制することができる。その結果、第１連結対象物２１０と第２連結対象物３１０とが曲がって連結されることを抑制することができる。
【００６１】
図７（ａ）〜図７（ｃ）を参照して、第１連結対象物２１０と第２連結対象物３１０との連結金具１００による連結方法について説明する。図７（ａ）〜図７（ｃ）は、連結金具１００による連結方法を示す断面図である。
【００６２】
図７（ａ）は、突起部１２０ａを連結孔３２２ａに挿入する前の状態を示す。図７（ｂ）は、突起部１２０ａを連結孔３２２ａに挿入している状態を示す。図７（ｃ）は、第１連結対象物２１０と第２連結対象物３１０との連結が完了した状態を示す。
【００６３】
図７（ａ）において、長さｄ５は、連結孔３２２ａの長さを示す。図７（ａ）および図７（ｂ）において、距離ｄ６は、第１連結対象物２１０と第２連結対象物３１０との距離を示す。すなわち、第１連結対象物２１０と第２連結対象物３１０との間の隙間を示す。
【００６４】
図７（ａ）に示すように、先端部１２４の長さｄ１（図４参照）は、連結孔３２２ａの長さｄ５よりも短い。したがって、図７（ｂ）に示すように、突起部１２０は、連結孔３２２ａに挿入可能である。
【００６５】
また、図７（ａ）に示すように、基端部１２２の長さｄ２（図４参照）は、連結孔３２２ａの長さｄ５以上である。本実施形態では、基端部１２２の長さｄ２（図４参照）は、連結孔３２２ａの長さｄ５よりも僅かに長い。したがって、図７（ｃ）に示すように、突起部１２０を連結孔３２２ａに挿入した場合、傾斜部１２６のいずれかの位置で連結孔３２２ａと当接する。その結果、突起部１２０および連結孔３２２ａの大きさのばらつき（公差）に応じて、突起部１２０を連結孔３２２ａに連結させることができる。
【００６６】
図７（ｂ）に示すように、傾斜部１２６は、基端部１２２から先端部１２４に向けて第１連結対象物２１０から離れる方向（＋Ｘ方向）へ傾斜している。換言すれば、傾斜部１２６は、先端部１２４から基端部１２２に向けて第１連結対象物２１０に近づく方向（−Ｘ方向）へ傾斜している。このため、突起部１２０を連結孔３２２ａに挿入していくにしたがって、第２連結対象物３１０は、第１連結対象物２１０に近づく方向（−Ｘ方向）に引き寄せられる。したがって、突起部１２０を連結孔３２２ａに挿入していくにしたがって、距離ｄ６は短くなっていく。
【００６７】
図７（ｃ）に示すように、突起部１２０の連結孔３２２ａへの挿入が完了した後、固定具１７０ａおよび固定具１７０ｂを締め付けることが好ましい。傾斜部１２６は、基端部１２２から先端部１２４に向けて第１連結対象物２１０から離れる方向（＋Ｘ方向）へ傾斜している。換言すれば、傾斜部１２６は、先端部１２４から基端部１２２に向けて第１連結対象物２１０に近づく方向（−Ｘ方向）へ傾斜している。固定具１７０ａおよび固定具１７０ｂが締め付けられることによって、ベース部１１０に＋Ｚ方向の力が加えられる。したがって、固定具１７０ａおよび固定具１７０ｂが締め付けられていくにしたがい、第２連結対象物３１０は、第１連結対象物２１０に近づく方向（−Ｘ方向）に引き寄せられる。このため、第１連結対象物２１０と第２連結対象物３１０との隙間（距離ｄ６）がさらに短くなる。その結果、第１連結対象物２１０と第２連結対象物３１０との隙間が発生することを抑制することができる。したがって、第１連結対象物２１０と第２連結対象物３１０とが曲って連結されることを抑制することができる。
【００６８】
なお、図７（ｃ）に示すように、本実施形態では、第１連結対象物２１０および第２連結対象物３１０の上面と、連結金具１００の下面とが当接しているが、第１連結対象物２１０と第２連結対象物３１０との隙間（距離ｄ６）がゼロになれば第１連結対象物２１０および第２連結対象物３１０の上面と、連結金具１００の下面との間に隙間が生じていてもよい。この場合、第１連結対象物２１０と第２連結対象物３１０のＺ軸方向の位置ずれが生じないように、連結金具１００は裕度を持って第１連結対象物２１０に固定具１７０ａおよび固定具１７０ｂによって固定されていることが好ましい。具体的には、連結金具１００は、固定具１７０ａおよび固定具１７０ｂの軸方向に変位可能な状態で、第１連結対象物２１０に取り付けられていることが好ましい。つまり、「固定」には、連結金具１００が固定具１７０ａおよび固定具１７０ｂの軸方向に変位可能な状態で第１連結対象物２１０に取り付けられている状態を含む。
【００６９】
図８を参照して、照明装置５００について説明する。図８は、照明装置５００の断面図である。
【００７０】
図８に示すように、光源２６２は、基板２６２ａと、複数の発光素子２６２ｂとを含む。複数の発光素子２６２ｂは、基板２６２ａの実装面に実装される。なお、図８では、複数の発光素子２６２ｂのうちの１つの発光素子２６２ｂが表れている。なお、光源２６２は、単数の発光素子２６２ｂを含んでいてもよい。
【００７１】
第１光源ユニット２６０は、単数または複数の取付部材２６６をさらに含む。例えば、取付部材２６６は、金属製（例えば、ステンレス製）である。取付部材２６６によって、第１光源ユニット２６０が第１連結対象物２１０に取り付けられる。
【００７２】
第１連結対象物２１０は、本体部２１２と、鍔部２１４とに加えて、電源部２１６をさらに有する。電源部２１６は、電源線（不図示）を介して第１光源ユニット２６０に電力を供給する。
【００７３】
第２連結対象物３１０と第２光源ユニット３６０とは、第１連結対象物２１０と第１光源ユニット２６０と同様の構成を有するため、説明を省略する。
【００７４】
以上、図１〜図８を参照したように、傾斜部１２６は、基端部１２２から先端部１２４に向けて第１連結対象物２１０から離れる方向へ傾斜している。換言すれば、傾斜部１２６は、先端部１２４から基端部１２２に向けて第１連結対象物２１０に近づく方向へ傾斜している。したがって、突起部１２０が連結孔３２２ａ、３２２ｂへ挿入されるにしたがって、第２連結対象物３１０は、第１連結対象物２１０に近づく方向に引き寄せられる。その結果、第１連結対象物２１０と第２連結対象物３１０との隙間が発生することを抑制することができる。
【００７５】
また、基端部１２２は、基端部１２２の延びる方向に沿って並んでいる第１端点部１２３ａと第２端点部１２３ｂとを有する。第２端点部１２３ｂは、第１連結対象物２１０に対して第１端点部１２３ａよりも離れた位置にある。傾斜部１２６は、第１端点部１２３ａに接続している。したがって、突起部１２０が連結孔３２２ａ、３２２ｂへ挿入されるにしたがって、第２連結対象物３１０は、第１連結対象物２１０に近づく方向に引き寄せられる。その結果、第１連結対象物２１０と第２連結対象物３１０との隙間が発生することを抑制することができる。
【００７６】
また、先端部１２４の長さｄ１は、連結孔３２２ａ、３２２ｂの長さよりも短い。したがって、突起部１２０は、連結孔３２２ａ、３２２ｂに挿入可能である。また、基端部１２２の長さは、連結孔３２２ａ、３２２ｂの長さ以上である。したがって、突起部１２０を連結孔３２２ａに挿入した場合、傾斜部１２６のいずれかの位置で連結孔３２２ａと当接する。その結果、突起部１２０および連結孔３２２ａ、３２２ｂの大きさのばらつき（公差）に応じて、突起部１２０を連結孔３２２ａ、３２２ｂに連結させることができる。
【００７７】
また、連結金具１００は、突起部１２０を２つ備える。したがって、突起部１２０を連結孔３２２ａ、３２２ｂに挿入することによって、第１連結対象物２１０と第２連結対象物３１０との幅方向（Ｙ軸方向）の位置ずれを抑制することができる。その結果、第１連結対象物２１０と第２連結対象物３１０とが曲がって連結されることを抑制することができる。
【００７８】
また、連結金具１００は、ベース部１１０から少なくとも１つの突起部１２０の突起する方向に延びる一対の壁部１３０ａ、１３０ｂをさらに備える。連結金具１００によって、第１連結対象物２１０と第２連結対象物３１０とを連結する際、一対の壁部１３０ａ、１３０ｂが第１連結対象物２１０の側面と第２連結対象物３１０の側面と当接する。したがって、第１連結対象物２１０と第２連結対象物３１０との幅方向（Ｙ軸方向）の位置ずれを抑制することができる。その結果、第１連結対象物２１０と第２連結対象物３１０とが曲がって連結されることを抑制することができる。また、壁部１３０ａ、１３０ｂを備えることによって、連結金具１００の強度を向上させることができる。
【００７９】
また、連結金具１００は、位置決め部１４０ａ、１４０ｂを備える。連結金具１００によって、第１連結対象物２１０と第２連結対象物３１０とを連結する際、連結金具１００の位置決めを行うことができる。したがって、第１連結対象物２１０と第２連結対象物３１０とが曲がって連結されることを抑制することができる。
【００８０】
また、連結金具１００は、固定具孔１５０ａ、１５０ｂを備える。固定具孔１５０ａ、１５０ｂは、固定具１７０ａ、１７０ｂを挿入可能である。固定具１７０ａ、１７０ｂは、第１連結対象物２１０に連結金具１００を固定する。したがって、固定具１７０ａおよび固定具１７０ｂを締め付けることによって、第２連結対象物３１０を、第１連結対象物２１０に近づく方向（−Ｘ方向）に引き寄せることができる。その結果、第１連結対象物２１０と第２連結対象物３１０との隙間が発生することを抑制することができる。したがって、第１連結対象物２１０と第２連結対象物３１０とが曲って連結されることを抑制することができる。
【００８１】
以上、図面（図１〜図８）を参照しながら本発明の実施形態を説明した。但し、本発明は、上記の実施形態に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００８２】
（１）図１〜図８を参照して説明した連結金具１００は、突起部１２０を２つ備えていたが、本発明はこれに限定されない。例えば、連結金具１００は、突起部１２０を１つ、または３つ以上備えていてもよい。
【００８３】
（２）図１〜図８を参照して説明した連結金具１００は、第２連結対象物３１０の連結孔３２２ａ、３２２ｂに挿入される突起部１２０を備えていたが、本発明はこれに限定されない。例えば、連結金具１００は、さらに、第１連結対象物２１０の連結孔に挿入される突起部１２０を備えていてもよい。この場合、第１連結対象物２１０の連結孔に挿入される突起部１２０の傾斜部１２６は、基端部１２２から先端部１２４に向けて第２連結対象物３１０から離れる方向へ傾斜する。また、突起部１２０は、図５に示す第１連結対象物２１０の貫通孔２２２ａ、２２２ｂに挿入される。
【００８４】
（３）図１〜図８を参照して説明した連結金具１００では、傾斜部１２６は直線的に延びていたが、本発明はこれに限定されない。例えば、傾斜部１２６は湾曲していてもよい。
【００８５】
（４）図１〜図８を参照して説明した連結金具１００は、一対の壁部１３０ａ、１３０ｂを備えていたが、本発明はこれに限定されない。例えば、連結金具１００は、一対の壁部１３０ａ、１３０ｂを備えていなくてもよい。
【００８６】
（５）図１〜図８を参照して説明した連結金具１００は、位置決め部１４０ａ、１４０ｂを備えていたが、本発明はこれに限定されない。例えば、連結金具１００は、位置決め部１４０ａ、１４０ｂを備えていなくてもよい。
【００８７】
（６）図１〜図８を参照して説明した連結金具１００は、固定具孔１５０ａ、１５０ｂを２つ備えていたが、本発明はこれに限定されない。例えば、連結金具１００は、固定具孔を１つ備えていてもよい。この場合、１つの固定具によって連結金具１００は、第１連結対象物２１０に固定される。
【符号の説明】
【００８８】
１００    連結金具
１１０    ベース部
１２０、１２０ａ、１２０ｂ    突起部
１２２    基端部
１２３ａ  第１端点部
１２３ｂ  第２端点部
１２４    先端部
１２６    傾斜部
１２８    接続部
１３０ａ、１３０ｂ  壁部
１３１    先端
１４０ａ、１４０ｂ  位置決め部
１５０ａ、１５０ｂ  固定具孔
１７０ａ、１７０ｂ  固定具
２１０    第１連結対象物
２４２ａ、２４２ｂ  挿入孔
２６０    第１光源ユニット
２６２    光源
３１０    第２連結対象物
３２２ａ、３２２ｂ  連結孔
３６０    第２光源ユニット
４００    連結構造物
５００    照明装置
【図１】
2019199883.tif 000003
【図２】
2019199883.tif 000004
【図３】
2019199883.tif 000005
【図４】
2019199883.tif 000006
【図５】
2019199883.tif 000007
【図６】
2019199883.tif 000008
【図７】
2019199883.tif 000009
【図８】
2019199883.tif 000010